(57)【要約】【課題】本発明は、閉じられた傘を開かないようにして、盗難を予防する。【解決手段】閉じられた傘１の傘生地５中間部にはめられた囲繞体２と，一端部は該囲繞体２に繋ぎ、他端部は傘1の下ロクロ７の骨 ７ａに繋いだ係留体３と，該係留体３の中間部には前記囲繞体２を傘１の先端部９への移行の引き留めと、傘１の露先部８への移行を突支いして阻止する支柱の支柱部材４を備えてあり、尚且つ該支柱部材４には、前記囲繞体２を分合可能な連結部４ｃの円筒部材 ４ａと円柱部材 ４ｂとを連結して施錠する施錠部６が設けられている。【選択図】図１
2013106669.tif 000002
【特許請求の範囲】
【請求項１】
閉じられた傘に於いて、該傘に、はめて傘生地の中間部の位置に囲繞した囲繞体と，一端部を前記囲繞体に繋ぎ、他端部は前記傘の受け骨が集まっている中心部分の下ロクロ付近に繋いだ係留体と，該係留体の中間部には、該係留体を分合する連結部と該連結部を施錠する施錠部を設けた支柱の支柱部材と，を備えてあり、尚且つ前記支柱部材から前記囲繞体を繋いだ係留体の長さと、前記囲繞体の直径の長さを足した長さよりもやや長くした支柱部材を備えたことを特徴とする傘の補足具。
【請求項２】
閉じられた傘に於いて、該傘の先端部材分から、はめて傘生地中間部の位置に囲繞した囲繞体と，一端部を該囲繞体に繋ぎ、他端部は前記傘の受け骨が集まっている中心部分の下ロクロ付近に繋いだ係留体と，該係留体の中間部には、該係留体を分合する連結部と該連結部を施錠する施錠部と，尚且つ前記囲繞体が傘骨の先端部分である露先部へ移行しないように遮ぎる遮断体と，が備えられたことを特徴とする傘の補足具。
【請求項３】
前記囲繞体は輪形状であり、内径は７０ｍｍ〜３０ｍｍであることを特徴とする請求項１又は２に記載の傘の補足具。
【発明の詳細な説明】
【技術分野】
【０００１】
本発明は、傘に取付けて傘の開放が防止された盗難予防の機能を備えた傘の補足具に関するものである。
【背景技術】
【０００２】
一般に傘は雨降り時に使用するものであり、雨に濡れた傘は雫が垂れるために、屋内に持ち込める事が出来ず、入口附近に置いて行く事が多かった。そのため盗難に遭う等の問題があった。
【０００３】
これらを解決するために、例えば特許文献１に傘の盗難防止装置が開示されている。この盗難防止装置は傘の柄に索条体を取付け、取外し機能を有し、傘立て箱等の格子に拘束するものである。
【０００４】
一方、特許文献２は、傘の開放が防止される構成になっている。この開放防止装置は、傘骨先端部の挟着固定状態が保持されるようにした傘自体に設けられたものである。
【先行技術文献】
【特許文献】
【０００５】
【特許文献１】特開２００５−１７１７２３号公報
【特許文献２】実開平２−８４５１５号
【発明の概要】
【発明が解決しようとする課題】
【０００６】
しかしながら、上記特許文献１にあっては、傘置き用に別途用意しなければならない。
【０００７】
さらに特許文献２にあっては、傘自体に設けられてあるが高額品の傘になり、一般にはなじまない。
【０００８】
その為、本発明の根底をなす課題は、傘自体に開放防止具を着ける安価な傘の盗難防止具を提供することを目的とする。
【課題を解決するための手段】
【０００９】
そこで本発明にあたっては、上記課題を解決するために講じた本発明の第一手段は、次のとおりである。
すなわち、閉じられた傘１に於いて、該傘１に、はめて傘生地５の中間部の位置に囲繞した囲繞体２と，一端部を該囲繞体２に繋ぎ、他端部は、前記傘１の受け骨が集まっている中心部分の下ロクロ７付近に繋いだ係留体３と，該係留体３の中間部には、該係留体３を分合する連結部４ｃと該連結部４ｃを施錠する施錠部６を設けた支柱の支柱部材４と，を備えてあり、尚且つ、支柱部材４から囲繞体２を繋いだ係留体３ａの長さと、囲繞体２の直径の長さを足した長さよりも、やや長くした支柱部材４を備えたことを特徴とする。
【００１０】
これによれば、支柱部材４は、傘１の下ロクロ７付近に位置される長さを用いた係留体３ｂで下ロクロ７の骨７ａに繋げられている。
このため、閉じられた傘１の傘生地５中間部に囲繞体２をはめて、支柱部材４を連結し、施錠すれば傘１の先端部９方向への引き留めと、露先部８方向へは突支いする支柱で囲繞体２を傘生地５中間部から脱出不能にし、傘１を開けないようにして盗難を予防している。
【００１１】
又、第２手段にあっては、閉じられた傘１に於いて、該傘１の先端部分から、はめて中間部の位置に囲繞した囲繞体２と，一端部は、該囲繞体２に繋ぎ、他端部は傘１の受け骨が集まっている中心部分の下ロクロ７付近に繋いだ係留体３と，該係留体３の中間部には、該係留体３を分合する連結部４ｃと該連結部４ｃを施錠する施錠部６と，尚且つ、囲繞体２が傘骨の先端部分である露先部８へ移行しないように遮ぎる遮断体２０と，が備えられたことを特徴とする。
【００１２】
これによれば、たとえば球体形状の遮断体２０の直径は、囲繞体２の内径から傘１の心棒１１の直径を差し引いた長さよりも、やや長くして囲繞体２は傘生地５中間部から脱出できないように工夫している。
【００１３】
又、平板状の遮断体の場合、縦の長さ及び横巾の長さは、囲繞体２の内径の長さよりも、やや長くしている。
【００１４】
これにより囲繞体２は傘１の露先部８方向への移行が阻止され脱出不能になるので、傘１は閉じられたままで開放できなくなり盗難の予防になる。
【００１５】
又、第３の手段にあっては、囲繞体２は輪形状であり、内径は７０ｍｍ〜３０ｍｍであることを特徴とする。
【００１６】
これによれば囲繞体２は傘生地５中間部に円滑に、はめこむことができる大きさを備えている。
【００１７】
以上のように、第一手段、第２手段にあっては、囲繞体２は傘生地５中間部の所定位置から脱出不能となり、傘１が開かないようにすることができる。又、傘立ての格子に支柱部材４と傘生地５との隙部分で抱え込むように取付けることも可能で、持ち去り不能に拘束することもできる。
【発明の効果】
【００１８】
本発明の傘は、閉じた傘を開かないように施錠した人以外の人の使用が出来ず、無断使用をなくすことが出来、盗難防止にもなる。
【図面の簡単な説明】
【００１９】
【図１】この発明の第一実施形態の傘の補足具の斜視図である。
【図２】図１の支柱部材４の連結部 ４ｃと施錠部６の断面図である。
【図３】図１、図２の施錠部６に使用の手元鍵１０の斜視図である。
【図４】この発明の第二実施形態の傘の補足具の斜視図である。
【発明を実施するための形態】
【００２０】
以下、この発明の実施形態について図面に基づいて説明する。図１〜４は、この発明の一実施形態を示すもので、第一の実施形態に於いて、傘の補足具Aは囲繞体２と係留体３と支柱部材４と、該支柱部材４には連結部 ４ｃと施錠部６が備えられている。
連結部４ｃは円筒状の円筒部材 ４ａと円柱状の円柱部材 ４ｂで形成されている。又、施錠部６は突起片６ａ ６ｂで形成されている。又、係留体３は囲繞体２から支柱部材４に繋がれた一端部側の係留体３ａと支柱部材４から傘１の下ロクロ７の骨７ａに繋がれた他端部側の係留体 ３ｂが設けられている。
【００２１】
図１では囲繞体２の例として輪形状を示している。又、係留体３はワイヤーを示している。支柱部材４の円筒部材４ａと円柱部材 ４ｂは連結された施錠状態を示している。又、該支柱部材４の支柱４ｄは、突支い棒の役目を兼ねている。
【００２２】
前記囲繞体２は傘１の傘生地５中間部に、はめられている。該囲繞体２は樹脂製で、一端部側の係留体３ａで支柱部材４に繋がれている。
【００２３】
図２に示す支柱部材４は連結部 ４ｃの円筒部材 ４ａ及び円柱部材 ４ｂと、円筒部材４ａに空いた二ヶ所の挿通孔 １６ａ１６ｂ及び円柱部材 ４ｂに設けた施錠部６の突起片６ａ ６ｂを備えている。この突起片６ａ ６ｂを挿通孔 １６ａ １６ｂに挿入されることによって施錠となり連結が保持される。
【００２４】
係留体３は囲繞体２を傘生地５中間部の所定位置に係留させる長さが備えられている。又、支柱部材４は他端部側の係留体 ３ｂによって傘１の下ロクロ7の骨７ａに結び付けられている。
【００２５】
前記支柱部材４の長さは囲繞体２の直径の長さと係留体 ３ａの長さを足した長さよりも、やや長い寸法で形成してある。
このため、囲繞体２の直径の長さで、支柱部材４の長さと係留体３の長さが決定されるのが好ましい。
【００２６】
該囲繞体２は、内径が７０mm〜３０mmの範囲で設定されるのが望ましい。
【００２７】
施錠部６は、円柱部材 ４ｂの軸方向に直角な方向に穴１４を空ける。該穴１４には、外部に向って付勢するバネ１２と、先端が突出した突出部１５ａ １５ｂを形成し末端部分はバネ１２に当てがわれた突起片６ａ ６ｂが設けられている。又、突出部１５ａ １５ｂのみが外部に突き出るように穴１４よりも一廻り小さい穴を備えた円筒状の被覆材１３を設けて突起片６ａ ６ｂが外部へ飛び出さないように工夫している。
【００２８】
挿通孔 １６ａ １６ｂの穴位置は円筒部材４ａと円柱部材 ４ｂを連結した状態で無作為の間隔で二ヶ所の穴空けを施しているため、この穴１４位置に合致する穴１４位置は他になく、該一組のみとなり、他の鍵では解錠できないように工夫している。
【００２９】
又、突起片 ６ａ ６ｂを設けず円筒部材 ４ａと円柱部材 ４ｂを連結させた後貫通穴を空けて、この貫通穴に施錠杆を挿通して施錠する南京錠を用いてもかまわない。
【００３０】
図４では遮断体２０の例として球体の形状を示している。該遮断体２０は囲繞体２の内径の長さから傘１の心棒１１の直径の長さを差し引いた長さよりもやや長くして、囲繞体２を係留してある。
【００３１】
以下補足具Ａの使用方法を説明する。
まず、傘１の下ロクロ７の骨 ７ａに繋がれてある支柱部材 ４内にあって連結部４ｃの円柱部材４ｂは，囲繞体２を傘１の先端部９から傘生地５中間部に、はめこみ、そして該囲繞体２に繋がれた連結部４ｃの円筒部材 ４ａへ，挿入連結施錠される。
又、円筒部材 ４ａに円柱部材４ｂを差込む時、少し拈って奥まで差し込んだ後に、拈りを戻して定位置にすると施錠される。
又、差し抜く時は、図３に示す手元鍵１０を使用する。
まず穴位置に押し当て、押し込むと突起片６が穴１４の内奥に押込まれ、解錠状態になり、円筒部材４ａから円柱部材 ４ｂを引き抜くことで連結を分離することが可能となる。
【００３２】
本発明は、上記実施の形態や実施例には限定されるものではない。特許請求の範囲において、例えば囲繞体は輪形の他に六角形八角形のように多角形状を用いることができる。又、支柱部材４は角棒やこけし人形の形状にすることもできる。あるいは遮断体２０は球体の他サイコロのような多面体や円柱形を用いることができる。又係留体３はチェーンや紐等様々の変形や変更が可能である。
【符号の説明】
【００３３】
Ａ        補足具
１        傘
２        囲繞体
３        係留体
３ａ      一端部側係留体
３ｂ      他端部側係留体
４        支柱部材
４ａ      円筒部材
４ｂ      円柱部材
４ｃ      連結部
４ｄ      支柱
５        傘生地
６        施錠部
６ａ      突起片
６ｂ      突起片
７        下ロクロ
７ａ      下ロクロの骨
８        露先部
９        傘の先端部
１０      手元鍵
１１      心棒
１２      バネ
１３      被覆材
１４      穴
１５      突出部
１５ａ    突出部
１５ｂ    突出部
１６ａ    挿通孔
１６ｂ    挿通孔  
２０      遮断体
【図１】
2013106669.tif 000003
【図２】
2013106669.tif 000004
【図３】
2013106669.tif 000005
【図４】
2013106669.tif 000006